(57)【要約】圧迫ガーメントの膨張及び収縮可能なブラダ内の流体圧力を示す圧力信号波形を分析することにより、圧迫ガーメントの着用者のバイタルパラメータを監視する。振動振幅の圧力信号波形を時間の関数として及び／又は着用者の脈拍の表示として分析することにより、着用者の血圧の表示を提供する。
2020526265.tif 000002
【特許請求の範囲】
【請求項１】
ガーメントの着用者に圧迫療法治療を提供するために、前記ガーメントの少なくとも１つのブラダの膨張及び収縮を制御するためのコントローラであって、１つ以上のプロセッサと、前記１つ以上のプロセッサに、圧力センサから、前記ガーメントの少なくとも１つのブラダ内の流体圧力を示す信号を受信させ、受信した信号が時間の関数として振動振幅を含むか否かを判定させ、受信した信号が時間の関数として振動振幅を含むか否かの判定に少なくとも部分的に基づいて、前記ガーメントの着用者の血圧を推定させるためのコンピュータ実行可能命令を含む非一時的なコンピュータ可読記憶媒体とを備える、コントローラ。
【請求項２】
前記流体圧力を示す信号を受信するための命令は、前記少なくとも１つのブラダが膨張している間に前記流体圧力を示す信号を受信するための命令を含む、請求項１に記載のコントローラ。
【請求項３】
前記流体圧力を示す信号を受信するための命令は、前記少なくとも１つのブラダが実質的に一定の圧力で膨張している間に前記流体圧力を示す信号を受信するための命令を含む、請求項２に記載のコントローラ。
【請求項４】
前記実質的に一定の圧力は、前記判定の期間にわたって１０パーセント未満だけ変化する、請求項３に記載のコントローラ。
【請求項５】
前記流体圧力を示す信号を受信するための命令は、約５秒よりも長く約６０秒よりも短い期間にわたって前記流体圧力を示す信号を受信するための命令を含む、請求項２に記載のコントローラ。
【請求項６】
前記流体圧力を示す信号を受信するための命令は、所定の間隔で前記流体圧力を示す信号を受信するための命令を含む、請求項１に記載のコントローラ。
【請求項７】
前記流体圧力を示す信号を受信するための命令は、前記少なくとも１つのブラダの治療的圧迫サイクル間に前記信号を受信するための命令を含む、請求項１に記載のコントローラ。
【請求項８】
前記流体圧力を示す信号を受信するための命令は、少なくとも部分的にユーザー入力に基づいて前記信号を受信するための命令を含む、請求項１に記載のコントローラ。
【請求項９】
前記非一時的なコンピュータ可読記憶媒体は、前記１つ以上のプロセッサに前記圧迫ガーメントの少なくとも１つのブラダが前記圧力センサと連通しているか否かを検出させるためのコンピュータ実行可能命令をさらに含み、前記流体圧力を示す信号を受信するための命令は、前記少なくとも１つのブラダと前記圧力センサとの間の連通の検出に少なくとも部分的に基づいて前記信号を受信するための命令を含む、請求項１に記載のコントローラ。
【請求項１０】
前記圧迫ガーメントと前記圧力センサとの間で検出される連通は、流体連通である、請求項９に記載のコントローラ。
【請求項１１】
前記流体圧力を示す信号を受信するための命令は、前記少なくとも１つのブラダが非治療圧力まで膨張している間に前記流体圧力を示す信号を受信するための命令を含む、請求項１に記載のコントローラ。
【請求項１２】
前記非治療圧力は約１６０ｍｍＨｇ以上である、請求項１１に記載のコントローラ。
【請求項１３】
前記流体圧力を示す信号を受信するための命令は、第１のブラダ内の流体圧力を示す第１の信号を受信し、第２のブラダ内の流体圧力を示す第２の信号を受信するための命令を含み、前記受信した信号が振動振幅を含むか否かを判定するための命令は、前記第１の信号及び前記第２の信号がそれぞれ振動振幅を含むか否かを判定するための命令を含む、請求項１に記載のコントローラ。
【請求項１４】
前記受信した信号が振動振幅を含むか否かを判定するための命令は、約０．５Ｈｚから約２５Ｈｚの周波数を抽出するために前記受信した信号を帯域通過フィルタ処理するための命令を含む、請求項１に記載のコントローラ。
【請求項１５】
前記受信した信号が振動振幅を含むか否かを判定するための命令は、帯域通過フィルタ処理された信号を平滑化するための命令をさらに含む、請求項１４に記載のコントローラ。
【請求項１６】
前記受信した信号が振動振幅を含むか否かを判定するための命令は、帯域通過フィルタ処理された信号を約５Ｈｚ以下の周波数で低域通過フィルタ処理するための命令をさらに含む、請求項１４に記載のコントローラ。
【請求項１７】
前記受信した信号が振動振幅を含むか否かを判定するための命令は、前記信号のピークを検出するための命令を含む、請求項１に記載のコントローラ。
【請求項１８】
前記信号のピークを検出するための命令は、約０．５Ｈｚから約４Ｈｚの周波数範囲でピークを検出するための命令を含む、請求項１７に記載のコントローラ。
【請求項１９】
前記信号のピークを検出するための命令は、約０．０５ｍｍＨｇを超える流体圧力の変動に対応するピークを検出するための命令を含む、請求項１８に記載のコントローラ。
【請求項２０】
前記受信した信号が振動振幅を含むか否かを判定するための命令は、約０．５Ｈｚから約４Ｈｚの周波数範囲内で繰り返し信号を検出するための命令を含む、請求項１に記載のコントローラ。
【請求項２１】
前記受信した信号の時間の関数としての振動振幅は、前記ガーメントの着用者の脈拍を表す、請求項１に記載のコントローラ。
【請求項２２】
前記非一時的なコンピュータ可読記憶媒体は、推定された血圧を前記着用者の動脈血圧と相関させるためのコンピュータ実行可能命令をさらに含む、請求項１に記載のコントローラ。
【請求項２３】
少なくとも１つの膨張及び収縮可能なブラダを含む圧迫ガーメントであって、着用者の１つ以上の手足の周りに固定可能な圧迫ガーメントと、
メモリ及び１つ以上のプロセッサを備えるコントローラであって、前記メモリは、前記１つ以上のプロセッサに、前記少なくとも１つの膨張及び収縮可能なブラダ内の流体圧力を示す信号を圧力センサから受信させ、受信した信号が時間の関数として振動振幅を含むか否かを判定させ、前記受信した信号が時間の関数として振動振幅を含むか否かの判定に少なくとも部分的に基づいて、前記着用者の血圧を推定させるためのコンピュータ実行可能命令を含むコントローラと
を備える、システム。
【請求項２４】
ポンプ及び少なくとも１つの弁をさらに備え、前記少なくとも１つの弁は、前記ポンプ及び前記少なくとも１つの膨張及び収縮可能なブラダと流体連通し、前記少なくとも１つの弁は、前記コントローラと電気的に連通し、前記コントローラのメモリは、１つ以上のプロセッサに少なくとも１つの弁を作動させ、前記ポンプと前記少なくとも１つの膨張及び収縮可能なブラダとの間の流体連通を制御させるためのコンピュータ実行可能命令をさらに含む、請求項２３に記載のシステム。
【請求項２５】
前記少なくとも１つの膨張及び収縮可能なブラダと流体連通するポンプをさらに備え、前記ポンプは前記コントローラと電気的に連通し、前記コントローラのメモリは、前記１つ以上のプロセッサに前記ポンプの速度を調節させるためのコンピュータ実行可能命令をさらに含む、請求項２３に記載のシステム。
【請求項２６】
前記少なくとも１つの膨張可能ブラダは、前記着用者の手足の周りに固定されると、前記着用者の手足の一部の周りに少なくとも部分的に延びる、請求項２３に記載のシステム。
【請求項２７】
ガーメントの着用者に圧迫療法治療を提供するために、前記ガーメントの少なくとも１つのブラダの膨張及び収縮を制御するためのコントローラであって、メモリと、１つ以上のプロセッサと、１つ以上のプロセッサに、圧力センサから、前記ガーメントの少なくとも１つのブラダ内の流体圧力を示す信号を受信させ、受信した信号が前記着用者の脈拍の表示を含むか否かを判定させ、前記受信した信号が前記着用者の脈拍を示す信号を含むか否かの判定に少なくとも部分的に基づいて、前記ガーメントの着用者の血圧を特定させるためのコンピュータ実行可能命令を含む非一時的なコンピュータ可読記憶媒体とを備える、コントローラ。
【請求項２８】
前記流体圧力を示す信号を受信するための命令は、前記少なくとも１つのブラダが膨張している間に前記流体圧力を示す信号を受信するための命令を含む、請求項２７に記載のコントローラ。
【請求項２９】
前記流体圧力を示す信号を受信するための命令は、前記少なくとも１つのブラダが実質的に一定の圧力で膨張している間に前記流体圧力を示す信号を受信するための命令を含む、請求項２８に記載のコントローラ。
【請求項３０】
前記受信した信号が前記着用者の脈拍の表示を含むか否かを判定するための命令は、約０．５Ｈｚから約４Ｈｚの周波数範囲内で繰り返し信号を検出するための命令を含む、請求項２７に記載のコントローラ。
【請求項３１】
前記コンピュータ実行可能命令は、特定された血圧を前記着用者の動脈血圧と相関させるための命令を含む、請求項２７に記載のコントローラ。
【請求項３２】
少なくとも１つの膨張及び収縮可能なブラダを含む圧迫ガーメントであって、着用者の手足の周りに固定可能な圧迫ガーメントと、
請求項２７から３０のいずれか一項に記載のコントローラと
を備えるシステム。
【請求項３３】
ポンプ及び少なくとも１つの弁をさらに備え、前記少なくとも１つの弁は、前記ポンプ及び前記少なくとも１つの膨張及び収縮可能なブラダと流体連通し、前記少なくとも１つの弁は、前記コントローラと電気的に連通し、前記コントローラの非一時的なコンピュータ可読記憶媒体は、前記１つ以上のプロセッサに少なくとも１つの弁を作動させ、前記ポンプと前記少なくとも１つの膨張及び収縮可能なブラダとの間の流体連通を制御させるためのコンピュータ実行可能命令をさらに含む、請求項３２に記載のシステム。
【請求項３４】
前記少なくとも１つの膨張及び収縮可能なブラダと流体連通するポンプをさらに備え、前記ポンプは前記コントローラと電気的に連通し、前記コントローラの非一時的なコンピュータ可読記憶媒体は、前記１つ以上のプロセッサに前記ポンプの速度を調節させるためのコンピュータ実行可能命令さらに含む、請求項３２に記載のシステム。
【発明の詳細な説明】
【技術分野】
【０００１】
本開示は、圧迫ガーメント着用者の血圧及び／又は脈拍数を特定するシステム及び方法に関する。
【背景技術】
【０００２】
関連出願への相互参照
本出願は、２０１７年６月３０日に出願された米国仮特許出願第６２／５２７，１５５号による優先権を主張し、当該米国仮特許出願の開示は、その中に含まれる参考文献の内容及び教示を含め、参照によりその全体が含まれるものとする。
【０００３】
間欠的空気圧迫（ＩＰＣ）システムは、空気などの加圧流体を患者又は着用者の手足に当てるのに使用されるデバイスを含む。場合によっては、深部静脈血栓症（ＤＶＴ）に関連する血の塊（血栓）の形成の危険がある患者の下肢に加圧空気が当てられる。ＩＰＣシステムは、通常、流体の加圧を管理するポンプユニットと、ポンプユニットを超えて流体の送達を延長するためのチューブセットと、患者の手足に巻き付けられかつ加圧流体を含む圧迫ガーメントとを含む。ＩＰＣシステムは断続的にガーメントを加圧して、患者の手足に治療的圧迫を加え、手足のその領域から血液を移動させる。多くのＩＰＣシステムは、フィードバックの唯一の手段として圧力センサを利用している。圧力センサの出力を使用して、圧迫ガーメントへの流体送達を調節し、所定の圧力を維持するが、測定可能な圧力は圧迫ガーメント及び管内の圧力に制限される。
【発明の概要】
【課題を解決するための手段】
【０００４】
一態様において、ガーメントの着用者に圧迫療法治療を提供するためにガーメントの少なくとも１つのブラダの膨張及び収縮を制御するためのコントローラは、メモリと、１つ以上のプロセッサと、非一時的なコンピュータ可読記憶媒体とを含む。非一時的なコンピュータ可読記憶媒体は、１つ以上のプロセッサに、圧力センサからガーメントの少なくとも１つのブラダ内の流体圧力を示す信号を受信させ、受信した信号が時間の関数として振動振幅を含むか否かを判定させるためのコンピュータ実行可能命令を含む。非一時的なコンピュータ可読記憶媒体はまた、受信した信号が時間の関数として振動振幅を含むか否かの判定に少なくとも部分的に基づいて、１つ以上のプロセッサにガーメントの着用者の血圧を推定させるためのコンピュータ実行可能命令を含む。
【０００５】
別の態様において、システムは、少なくとも１つの膨張及び収縮可能なブラダを含む圧迫ガーメントを含み、圧迫ガーメントは着用者の手足の周りに固定可能である。システムは、ガーメントの着用者に圧迫療法治療を提供するためにガーメントの少なくとも１つのブラダの膨張及び収縮を制御するためのコントローラをさらに含む。コントローラは、メモリと、１つ以上のプロセッサと、１つ以上のプロセッサに圧力センサからガーメントの少なくとも１つのブラダ内の流体圧力を示す信号を受信させ、受信した信号が時間の関数として振動振幅を含むか否かを判定させるための命令を含む非一時的なコンピュータ可読記憶媒体とを含む。非一時的なコンピュータ可読記憶媒体はまた、受信した信号が時間の関数として振動振幅を含むか否かの判定に少なくとも部分的に基づいて、１つ以上のプロセッサにガーメントの着用者の血圧を推定させるためのコンピュータ実行可能命令を含む。
【０００６】
別の態様において、ガーメントの着用者に圧迫療法治療を提供するためにガーメントの少なくとも１つのブラダの膨張及び収縮を制御するためのコントローラは、メモリと、１つ以上のプロセッサと、非一時的なコンピュータ可読記憶媒体とを含む。非一時的なコンピュータ可読記憶媒体は、１つ以上のプロセッサに、圧力センサからガーメントの少なくとも１つのブラダ内の流体圧力を示す信号を受信させ、受信した信号が着用者の脈拍の表示を含むか否かを判定させるためのコンピュータ実行可能命令を含む。非一時的なコンピュータ可読記憶媒体はまた、受信した信号が着用者の脈拍を示す信号を含むか否かの判定に少なくとも部分的に基づいて、１つ以上のプロセッサにガーメントの着用者の血圧を特定させるためのコンピュータ実行可能命令を含む。
【０００７】
別の態様において、システムは、少なくとも１つの膨張及び収縮可能なブラダを含む圧迫ガーメントを含み、圧迫ガーメントは着用者の手足の周りに固定可能である。システムは、ガーメントの着用者に圧迫療法治療を提供するためにガーメントの少なくとも１つのブラダの膨張及び収縮を制御するためのコントローラをさらに含む。コントローラは、メモリと、１つ以上のプロセッサと、１つ以上のプロセッサに、圧力センサからガーメントの少なくとも１つのブラダ内の流体圧力を示す信号を受信させ、受信した信号が着用者の脈拍の表示を含むか否かを判定させるための命令を含む非一時的なコンピュータ可読記憶媒体とを含む。非一時的なコンピュータ可読記憶媒体はまた、受信した信号が着用者の脈拍を示す信号を含むか否かの判定に少なくとも部分的に基づいて、１つ以上のプロセッサにガーメントの着用者の血圧を特定させるためのコンピュータ実行可能命令を含む。
【０００８】
実施形態は、以下の利点のうちの１つ以上を含むことができる。
【０００９】
いくつかの実施形態において、着用者の血圧の特定は、静的期間中の圧迫ガーメントの膨張可能ブラダ内の圧力を示す信号を用いて行われ、着用者の血圧のリアルタイムの自動表示を提供する。介護者が行う複数の医療デバイスの監視と比較して、本明細書に記載の着用者の血圧のリアルタイムの自動表示は、より正確な血圧測定、治療プロトコルへの患者のコンプライアンスのより正確な表示を提供することができ、かつ／又は、患者のバイタルパラメータの監視に関して介護者の負担を軽減することができる。治療を受けている着用者のバイタルパラメータを監視するのに比べて、本明細書に記載の着用者の血圧の表示は、最小限の機器及び改善された快適さで着用者のバイタルパラメータの監視を提供することができる。
【００１０】
他の態様、特徴、及び利点は、説明及び図面、ならびに特許請求の範囲から明らかになるであろう。
【図面の簡単な説明】
【００１１】
【図１】圧迫ガーメント及びコントローラ５を含む圧迫システムの斜視図である。
【００１２】
【図２】空気圧回路の概略図を含む、図１の例示的な圧迫システムの概略図である。
【００１３】
【図３】空気圧回路の概略図を含む、図１の別の例示的な圧迫システムの概略図である。
【００１４】
【図４Ａ】システムの圧迫ガーメントが着用者の手足に巻き付けられた配置にあるとき、図１の圧迫システムによって生成される圧力プロファイルのグラフ表示である。
【図４Ｂ】システムの圧迫ガーメントが着用者の手足に巻き付けられた配置にあるとき、図１の圧迫システムによって生成される圧力プロファイルのグラフ表示である。
【図４Ｃ】システムの圧迫ガーメントが着用者の手足に巻き付けられた配置にあるとき、図１の圧迫システムによって生成される圧力プロファイルのグラフ表示である。
【図４Ｄ】システムの圧迫ガーメントが着用者の手足に巻き付けられた配置にあるとき、図１の圧迫システムによって生成される圧力プロファイルのグラフ表示である。
【００１５】
【図５】図１の圧迫システムを用いたコンプライアンス監視の方法の流れ図である。
【発明を実施するための形態】
【００１６】
本明細書で使用される場合、「近位」及び「遠位」という用語は、ガーメントが着用されたときの圧迫ガーメントのコンポーネント、部品などの相対的な位置を表す。例えば、「近位」コンポーネントは着用者の胴体に最も隣接して配置され、「遠位」コンポーネントは着用者の胴体から最も離れて配置され、「中間」コンポーネントは一般に近位コンポーネントと遠位コンポーネントの間の任意の場所に配置される。さらに、本明細書で使用される場合、「巻き付けられている」及び「巻き付けられていない」という用語は、ガーメントが着用者の手足に適切に付けられている（例えば、巻き付けられている、着用されているなど）ガーメントの状態を定義し、ガーメントが着用者の手足から取り外されている（例えば、巻き付けられていない、着用されていないなど）ガーメントの状態を定義する。
【００１７】
本明細書の開示の態様は、２０１６年１０月１１日に出願された米国特許出願第１５／２９０，０２６号、２０１６年１０月１０日に出願されたＰＣＴ出願番号ＰＣＴ／ＵＳ２０１６／０５６２９６号、及び優先権を主張する出願、すなわち、すべて２０１５年１０月９日に出願された米国仮特許出願第６２／２３９，５２７号、第６２／２３９，４９３号、及び第６２／２３９，５６６号、２０１６年４月２９日に出願された米国仮特許出願第６２／３２９，２３３号に関するものである。上記に特定された出願の全内容は、その中に含まれる参考文献の内容及び教示を含め、参照により本明細書に明示的に含まれるものとする。
【００１８】
図１及び図２を参照すると、圧迫システム１は、着用者の手足に連続圧迫療法を行うための圧迫ガーメント１０と、１つ以上のプロセッサ７及び非一時的なコンピュータ可読記憶媒体（例えばメモリ）３３上で具現化されるコンピュータ実行可能命令を有するコントローラ５とを含む。コンピュータ実行可能命令は、１つ以上のプロセッサ７に圧迫システム１の動作を制御させるための命令を含む。圧迫ガーメント１０は、遠位膨張可能ブラダ１３ａと、中間膨張可能ブラダ１３ｂと、近位膨張可能ブラダ１３ｃとを含む。圧迫ガーメント１０は、着用者の手足の周りに固定することができ、いくつかの実施形態において、異なる周囲の手足に適合するように調節可能である。膨張可能ブラダ１３ａ、１３ｂ、１３ｃは、いくつかの実施形態において、着用者の手足の一部の周りに少なくとも部分的に延在する。例えば、膨張可能ブラダ１３ａ、１３ｂ、１３ｃは臀部専用ブラダであることができる。
【００１９】
以下でさらに詳細に説明するように、コントローラ５は、膨張可能ブラダ１３ａ、１３ｂ、１３ｃのうちの１つ以上の測定圧力に少なくとも部分的に基づいて、その手足の周りに圧迫ガーメント１０が付けられている（すなわち、周囲に巻き付けられた配置にある）着用者の血圧及び／又は脈拍数を特定し、いくつかの実施形態において、血圧を動脈血圧と相関させ、特定された血圧及び／又は相関する動脈血圧の指標を（例えば、可聴アラームを提供すること及び／又はグラフィカルユーザーインターフェイスに視覚的な表示を提供することにより）提供する。追加又は代替の実施形態において、コントローラ５は、膨張可能なブラダ１３ａ、１３ｂ、１３ｃのうちの１つ以上の測定圧力に少なくとも部分的に基づいて、着用者の呼吸数、末梢抵抗の変化（例えば、血管拡張薬／血管収縮薬などによる）、及び／又は着用者の動き（例えば、患者の動きの監視）を特定する。以下でさらに詳細に説明するように、コントローラ５は、圧迫システム１の動作を制御して膨張サイクルを行うことができ、膨張サイクルにおいて、膨張可能ブラダ１３ａ、１３ｂ、１３ｃは膨張して着用者の手足に圧力を加え、例えば、１つ以上の圧迫サイクル中に圧迫ガーメント１０の膨張可能ブラダ１３ａ、１３ｂ、１３ｃによって着用者の手足に加えられる勾配圧力を確立する。以下でさらに詳細に説明するように、各治療的圧迫サイクルは、ブラダ１３ａ、１３ｂ、１３ｃのそれぞれの膨張段階と、ブラダ１３ａ及び１３ｂのそれぞれの減衰段階と、ブラダ１３ａ、１３ｂ、１３ｃのそれぞれの減圧又は通気段階とを含むことができる。各ブラダ１３ａ、１３ｂ、１３ｃのサイクル終了圧力は、それぞれのブラダ１３ａ、１３ｂ、１３ｃの減圧段階の開始前の各ブラダ１３ａ、１３ｂ、１３ｃ内の圧力である。
【００２０】
圧迫ガーメント１０は、着用者の脚の周りに配置可能な大腿部までの長さのスリーブであり、遠位ブラダ１３ａは着用者の足首の周りに、中間ブラダ１３ｂは着用者のふくらはぎの周りに、近位ブラダ１３ｃは着用者の大腿部の周りにある。膨張可能ブラダ１３ａ、１３ｂ、１３ｃは、コントローラ５と電気的に連通する加圧流体源２１（例えば、ポンプ又は圧縮機）から送達される流体（例えば、空気又は他の流体）の影響を受けて膨張及び収縮する。加圧流体源２１は、管２３を通して膨張可能ブラダ１３ａ、１３ｂ、１３ｃに加圧流体（例えば、空気）を送達する。
【００２１】
図２を参照すると、各膨張可能ブラダ１３ａ、１３ｂ、１３ｃは、それぞれの弁２５ａ、２５ｂ、２５ｃと流体連通している。圧力センサ２７は、マニホールド２９と連通（例えば、流体連通及び／又は機械的連通）し、マニホールド２９内の圧力を示す信号を測定する。マニホールド２９とそれぞれの膨張可能ブラダ１３ａ、１３ｂ、１３ｃとの間の流体連通は、それぞれの弁２５ａ、２５ｂ、２５ｃの位置の制御により（例えば、それぞれの弁２５ａ、２５ｂ、２５ｃの作動及び／又は非作動により）制御することができる。圧力センサ２７は、プロセッサ７が圧力センサ２７から、マニホールド２９及び／又はそれぞれの弁２５ａ、２５ｂ、２５ｃの位置の結果としてマニホールド２９との流体連通している１つ以上の膨張可能ブラダ１３ａ、１３ｂ、１３ｃの圧力を示す信号を受信するように、プロセッサ７と電気的に連通する。１つのブラダ１３ａ、１３ｂ、又は１３ｃのみがマニホールド２９と流体連通している場合、圧力センサ２７から受信した信号は、マニホールド２９と流体連通しているそれぞれのブラダ１３ａ、１３ｂ、１３ｃの圧力を示す。例えば、圧力センサ２７は、弁２５ａが開いており、弁２５ｂ、２５ｃが閉じているときに、膨張可能ブラダ１３ａ内の圧力を示す信号を提供する。同様に、圧力センサ２７は、弁２５ｂが開いており、弁２５ａ及び２５ｃが閉じているときに、ブラダ１３ｂ内の圧力を示す信号を提供する。同様に、圧力センサ２７は、弁２５ｃが開いており、弁２５ａ及び２５ｂが閉じているときに、膨張可能ブラダ１３ｃ内の圧力を示す信号を提供する。通気弁２５ｄは、マニホールド２９と周囲大気に通気する通気ポートとの間の流体連通を制御するように作動可能である。通気弁２５ｄを用いてすべてのブラダ１３ａ、１３ｂ、１３ｃを通気することができる。
【００２２】
各弁２５ａ、２５ｂ、２５ｃは、２方向／２位置常開ソレノイド弁である。各弁２５ａ、２５ｂ、２５ｃは、２つのポートを含み、第１開放位置において入口ポートをブラダポートと流体連通させるように作動可能である。各弁２５ａ、２５ｂ、２５ｃはさらに、入口ポートとブラダポートとの間の流体連通を遮断するように作動可能である。各弁２５ａ、２５ｂ、２５ｃの入口ポートは、加圧流体源２１及びマニホールド２９と流体連通している。各弁２５ａ、２５ｂ、２５ｃのブラダポートは、それぞれの膨張可能ブラダ１３ａ、１３ｂ、１３ｃと流体連通している。
【００２３】
ブラダ１３ａ、１３ｂ、１３ｃのいずれか１つは、それぞれの弁２５ａ、２５ｂ、２５ｃによって加圧流体源２１及びマニホールド２９と流体連通して配置され、ブラダ１３ａ、１３ｂ、１３ｃに加圧流体を送達することができる。ブラダ１３ａ、１３ｂ、１３ｃが膨張した後、それぞれの弁２５ａ、２５ｂ、２５ｃを閉じて、それぞれのブラダ１３ａ、１３ｂ、１３ｃ内に流体を保持することができる。したがって、圧迫ガーメント１０のブラダ１３ａ、１３ｂ、１３ｃは、開かれた弁２５ａ、２５ｂ、２５ｃに関連付けられた１つのブラダ１３ａ、１３ｂ、１３ｃのみが加圧流体源２１及びマニホールド２９と流体連通するように、それぞれの弁２５ａ、２５ｂ、２５ｃを開き、他の弁２５ａ、２５ｂ、２５ｃを閉じることにより個別に膨張させることができる。
【００２４】
通気弁２５ｄも２方向／２位置常開ソレノイド弁である。通気弁２５ｄは２つのポートを含み、第１の位置において入口ポートを通気ポートと流体連通させるように作動可能である。通気入口ポートは、第１の位置において通気ポートと流体連通している。通気弁２５ｄはさらに、入口ポートと通気ポートとの間の流体連通を遮断するように作動可能である。通気弁２５ｄの入口ポートは、加圧流体源２１及びマニホールド２９と流体連通している。通気弁２５ｄの通気ポートは、周囲大気と流体連通している。
【００２５】
当然のことながら、図２の弁２５ａ、２５ｂ、２５ｃ、２５ｄは、本開示の範囲から逸脱することなく、他のタイプであることができ、圧迫システム１内に他の配置を有することができる。例えば、図３を参照すると、弁は、３方向／２位置ソレノイド弁であり、通気弁なしでブラダ１３ａ、１３ｂ、１３ｃ内の圧力を制御するように作動可能である、弁３５ａ、３５ｂ、３５ｃであることができる。
【００２６】
再び図２を参照すると、非一時的なコンピュータ可読記憶媒体３３上で具現化されるコンピュータ実行可能命令は、１つ以上のプロセッサ７に膨張可能ブラダ１３ａ、１３ｂ、１３ｃを加圧（例えば、膨張）させ、着用者の手足に周期的な治療的圧縮圧力を提供するための命令を含むことができる。例えば、非一時的なコンピュータ可読記憶媒体３３上に具現化されるコンピュータ実行可能命令は、１つ以上のプロセッサ７に加圧流体源２１及び／又は弁２５ａ、２５ｂ、２５ｃ、２５ｄを制御させて膨張可能ブラダ１３ａ、１３ｂ、１３ｃを所定の時間、治療的圧縮圧力に加圧して、膨張可能ブラダ１３ａ、１３ｂ、１３ｃの下にある領域から手足の血液を移動させる。例えば、１つ以上のプロセッサ７は、タイマー３１によって提供されるタイミング信号及び／又はタイミングデータを使用して、膨張可能ブラダ１３ａ、１３ｂ、１３ｃが加圧される時間を測定することができる。１つ以上の実施形態によれば、タイマー３１は、クロック、１つ以上のタイマー回路（例えば、５５５タイマー集積回路など）、タイミングルーチンを備えるコンピュータ実行可能命令、及び／又は当業者によく知られている他のタイマーで構成することができる。ブラダ１３ａ、１３ｂ、１３ｃが圧縮圧力に保持される時間は、本明細書では減衰段階と呼ばれる。減衰段階に続くのは減圧段階である。コンピュータ実行可能命令は、１つ以上のプロセッサ７に加圧流体源２１及び／又は弁２５ａ、２５ｂ、２５ｃ、２５ｄを制御させて、膨張可能ブラダ１３ａ、１３ｂ、１３ｃ内の圧力をより低い圧力（例えば、大気圧）まで低下させる命令を含む。
【００２７】
圧迫システム１は、その手足の周りに圧迫ガーメント１０が付けられている（すなわち、巻き付けられた配置にある）着用者の血圧、脈拍数、呼吸数、末梢抵抗の変化、及び／又は動きを特定することができ、特定の実施形態において、その特定の表示を提供することができ、これは、例えば、圧迫ガーメント１０で着用者のバイタルパラメータを監視すること、圧迫ガーメント１０の処方された治療的使用に対する着用者のコンプライアンスを追跡することを容易にすることができる。例えば、圧迫ガーメント１０によってバイタルパラメータを監視することは、圧迫ガーメント１０に加えて血圧計などを利用することに起因する着用者の快適性への悪影響を軽減する。また、圧迫ガーメント１０によってバイタルパラメータを監視することにより、医療従事者（例えば、看護師）が複数の医療デバイスを監視する必要性が低下し、情報の欠落やエラーの可能性が減少する。非一時的なコンピュータ可読記憶媒体３３上に具現化されるコンピュータ実行可能命令は、１つ以上のプロセッサ７に、圧迫システム１の治療サイクルの静的期間中に圧力センサ２７から受信した圧力信号データを分析させる命令を含む。非一時的なコンピュータ可読記憶媒体３３上に具現化されるコンピュータ実行可能命令は、１つ以上のプロセッサ７に、着用者の心拍範囲に相関する圧力センサ２７の出力の波形ピークを検出させ、波形ピークの周波数を特定させ、血圧推定のために振動振幅を評価させる命令を含む。非一時的なコンピュータ可読記憶媒体３３上に具現化されるコンピュータ実行可能命令は、１つ以上のプロセッサ７に、振動振幅の大きさに基づいて１つ以上のアルゴリズムを利用させてその手足の周りに圧迫ガーメント１０が付けられている着用者の血圧を推定させる命令を含む。非一時的なコンピュータ可読記憶媒体３３上に具現化されるコンピュータ実行可能命令は、１つ以上のプロセッサ７に、振動振幅の大きさに基づく着用者の推定血圧をその手足の周りに圧迫ガーメント１０が付けられている着用者の対応する動脈血圧と相関させる命令を含む。
【００２８】
例示的な実施形態において、コンピュータ実行可能命令は、１つ以上のプロセッサ７に圧力センサ２７から圧力信号データを受信させる。コンピュータ実行可能命令は、１つ以上のプロセッサ７に１つ以上のブラダ１３ａ、１３ｂ、１３ｃ内の圧力を表す単一の波形を処理させる命令を含むことができる。当然のことながら、１つ以上のプロセッサ７は、本開示の範囲から逸脱することなく複数の波形を処理することができる。例えば、治療サイクルの静的期間中に圧力信号及び対応する圧力データを監視することにより、１つ以上のプロセッサ７は、着用者の心拍を示す波形上の特定の特徴を検出することができる。特定の実施形態において、静的期間中、圧力センサ２７は、１つ以上のブラダ１３ａ、１３ｂ、１３ｃと一定の連通（例えば、流体連通及び／又は機械的連通）のままである（か又は意図的に一定の連通にされる）。例示的な静的期間は、非治療サイクル（例えば、ブラダ１３ａ、１３ｂ、１３ｃ内の圧力が約２５ｍｍＨｇ未満）、最初のガーメント検出期間のサブセット、治療サイクルの延長、及び／又は静脈補充測定期間を含む。
【００２９】
３方向／２位置弁が利用される図３の実施形態の例示的な動作では、コンピュータ可読記憶媒体３３上に具現化されるコンピュータ実行可能命令は、圧力センサ２７とブラダ１３ａ、１３ｂ、１３ｃの１つ以上との間に流体経路が確立されるように、１つ以上のプロセッサ７に特定のブラダ１３ａ、１３ｂ、１３ｃの１つ以上のための１つ以上の弁３５ａ、３５ｂ、３５ｃを作動させる命令を含む。
【００３０】
２方向／２位置弁が利用される図２の実施形態の例示的な動作では、コンピュータ可読記憶媒体３３上に具現化されるコンピュータ実行可能命令は、マニホールド２９がもはや通気できないように、１つ以上のプロセッサ７に通気弁２５ｄを開閉させる命令を含む。１つ以上のコンピュータ実行可能命令は、１つ以上のプロセッサ７に、圧力センサ２７から受信した信号が圧迫ガーメント１０の着用者の心拍（すなわち、脈拍）の存在を示す振動特性（例えば、実質的に正弦波パターン）を含むか否かを判定させる。ある量の流体（例えば、空気）がブラダ１３ａ、１３ｂ、１３ｃの１つ以上及びマニホールド２９内に保持されるので、圧迫ガーメントの着用者の脈拍は、全体的な圧力波形で運ばれる振動特性を備えた信号を生成することができる。当然のことながら、これらの振動特性は、全体的な圧力波形の信号処理によって抽出されることができる。
【００３１】
図４Ａを参照すると、典型的なブラダ膨張期間４１及び圧力保持期間４３中の圧力センサ２７からの信号、圧迫ガーメント１０の巻き付けられた配置のブラダ１３ａ、１３ｂ、１３ｃの１つの圧力プロファイルが示されている。この実施形態において、圧力保持期間４３は、持続時間が約２０秒であり、約２００ｍｍＨｇまで膨張したブラダ１３ａ、１３ｂ、又は１３ｃの１つを表す。いくつかの実施形態において、ブラダ１３ａ、１３ｂ、又は１３ｃは、着用者の血圧を検出するために約１６０ｍｍＨｇ以上まで膨張させることができる。
【００３２】
次に図４Ｂを参照すると、圧力保持期間４３中の受信圧力信号の典型的なサブセット部分が示されている。本明細書での説明のために、図４Ｂの圧力保持期間４３のサブセット部分を対象サブセット信号と称する。非一時的なコンピュータ可読記憶媒体３３上に具現化されるコンピュータ実行可能命令は、１つ以上のプロセッサ７にブラダ膨張期間４１及び圧力保持期間４３中のブラダ圧力を示す圧力センサ２７からの信号を受信させる命令を含む。コンピュータ実行可能命令は、１つ以上のプロセッサ７に圧力センサ２７からの信号を精製させ、圧力保持期間４３中に受信した信号から、典型的な人間の心臓周期に関連する周波数を抽出させる命令をさらに含むことができる。例えば、１つ以上のプロセッサ７は、０．５Ｈｚから２５Ｈｚの範囲の周波数を（例えば、帯域通過フィルタ処理により）抽出することができる。
【００３３】
図４Ｃは、関連する周波数範囲（例えば、０．５Ｈｚから２５Ｈｚ）が抽出されるように圧力保持期間４３の対象信号に適用された帯域通過フィルタ処理技術の結果である波形４３’を示す。いくつかの実施形態において、フィルタ処理された信号４３’は、着用者の脈拍に関連する振動を明確にし、振動が表示装置によって表示されるときによりよく見られるようにする。追加又は代替として、１つ以上のプロセッサ７は、着用者の脈拍に関連しない周波数を除去するために信号４３をフィルタ処理し、結果として生じるフィルタ処理された信号４３’に関連するデータが、以下でさらに詳しく説明するように、ピーク検出及びコンプライアンス監視アルゴリズムの一部として１つ以上のプロセッサ７によってさらに分析されるようにする。当然のことながら、本明細書に記載されるように、１つ以上のプロセッサ７は、圧迫ガーメント１０の着用者の実際の心拍数ではなく、着用者の心拍に関連する脈動を検出する。
【００３４】
図４Ｄを参照すると、対象の帯域通過フィルタ処理された信号を示す波形４３’のサブセット部分（例えば、図４Ｃの部分拡大図）が示されている。
【００３５】
図５は、圧力センサ２７から受信した波形データを分析して、その手足の周りに圧迫ガーメント１０が付けられている着用者の心拍に関連する脈動を検出することにより、着用者の血圧及び／又は脈拍数を特定する例示的な方法５００の概略図である。この例示的な方法は、非一時的なコンピュータ可読記憶媒体３３上で具現化されるためのコンピュータ実行可能命令の実行によって１つ以上のプロセッサ７により行われることができる。
【００３６】
１つ以上のプロセッサ７は、コンピュータ実行可能命令を実行して、初期圧力をサンプリングする５０２。いくつかの実施形態において、初期圧力サンプリングは１００Ｈｚ以上の頻度で行われ、典型的な信号調整はベースラインノイズを除去するために使用される。追加又は代替として、サンプリング５０２は、低カットオフ（例えば、０．２５Ｈｚ）のすぐ下の周波数の減衰を含むように拡張されてもよい。
【００３７】
後処理波形分析５０４は、帯域通過フィルタ５０６と、追加のフィルタ処理５０８と、ピーク検出５１０とをさらに含む。帯域通過フィルタ５０６の間、対象の信号は、人間の着用者の典型的な心拍数範囲に関連する典型的な周波数の範囲（例えば、人間の着用者の場合は０．５〜２５Ｈｚ）で帯域通過フィルタ処理技術を用いてフィルタ処理される。
【００３８】
追加のフィルタ処理５０８の間、帯域通過フィルタ処理された信号のピークはさらに精製される。追加のフィルタ処理は、フィルタ処理された値を生成するために５Ｈｚのカットオフを有する低域通過フィルタを含むことができる。追加又は代替として、追加のフィルタ処理は、フィルタ処理された値を生成するために移動範囲の最新の５つのサンプルを使用する平滑化アルゴリズムを含むことができる。当然のことながら、追加のフィルタ処理ステップ５０８の間に、帯域通過フィルタ処理された信号に複数のフィルタ処理技術を適用することができる。
【００３９】
ピーク検出５１０の間に、フィルタ処理された信号のピークが典型的な人間の着用者の心拍範囲に対応することを確認するためにピーク検出が行われる。ピーク検出５１０は、所定の閾値に基づくことができる（例えば、０．０５ｍｍＨｇよりも大きい大きさのピークのみを見る）。追加又は代替として、ピーク検出５１０は、大きさに関係なく、（例えば、マージンのために３０〜１２０ｂｐｍに拡大された）典型的な人間の着用者の心拍範囲内の周波数を有する繰り返し信号の検査に基づくことができる。例えば、典型的な人間の着用者の心拍範囲内の周波数の繰り返し信号が検出されることを確認するために、周波数分析計算を行うことができる。追加又は代替として、ピーク検出５１０は、最高のピークと、それらのピークの周波数が典型的な人間の着用者の予想される心拍範囲内にあることを確認することとに基づくことができる。当然のことながら、ピーク検出５１０中に複数のピーク検出技術を使用することができる。いくつかの実施形態において、ピーク検出５１０は、所定の閾値に基づき、かつ最高のピークと、それらのピークの周波数が典型的な人間の着用者の予想される心拍範囲内にあることを確認することとに基づくピーク検出の組み合わせを含む。これは、信号ノイズ比が十分に高いため、脈拍がはっきりとわかるからである。
【００４０】
コンピュータ実行可能命令は、１つ以上のプロセッサ７に、ピーク検出５１０中に着用者の脈拍の特徴が検出されたか否かを判定５１２させる。脈拍の特徴が存在すると判定５１２された場合、肯定判定の結果を表示５１６することができる。例えば、表示５１６は、圧迫システム１に関連する表示装置に視覚的な表示を送信することを含むことができる。追加又は代替として、表示５１６は、タイマー（例えば、タイマー３１）のインクリメント及び／又は一時停止を含むことができる。追加又は代替として、脈拍の特徴が存在すると判定５１２された場合、コンピュータ実行可能命令は、１つ以上のプロセッサ７に、特定された血圧を着用者の動脈血圧と相関させる。表示５１６すると、プロセスはステップ５１８で終了し、ステップ５０２に戻る。ステップ５１２でインパルスが検出されない場合、コンピュータ実行可能命令は、ステップ５１４で１つ以上のプロセッサ７にヌル値を返させる。ステップ５１４の後、プロセスはステップ５１８で終了し、サンプリング５０２に戻る。
【００４１】
一態様において、ガーメントの着用者に圧迫療法治療を提供するためにガーメントの少なくとも１つのブラダ（例えば、ブラダ１３ａ、１３ｂ、１３ｃ）の膨張及び収縮を制御するためのコントローラ（例えば、コントローラ５）が、１つ以上のプロセッサ（例えば、プロセッサ７）、及び非一時的なコンピュータ可読記憶媒体（例えば、非一時的なコンピュータ可読記憶媒体３３）を含む。非一時的なコンピュータ可読記憶媒体は、１つ以上のプロセッサに、圧力センサ（例えば、圧力センサ２７）から、ガーメントの少なくとも１つのブラダ内の流体圧力を示す信号を受信させ、受信した信号が時間の関数（例えば、タイマー３１によって提供されるタイミング信号及び／又はタイミングデータ）として振動振幅を含むか否かを判定させるためのコンピュータ実行可能命令を含む。非一時的なコンピュータ可読記憶媒体はまた、受信した信号が時間の関数として振動振幅を含むか否かの判定に少なくとも部分的に基づいて、１つ以上のプロセッサにガーメントの着用者の血圧を推定させるためのコンピュータ実行可能命令を含む。
【００４２】
いくつかの実施形態において、流体圧力を示す信号を受信するための命令は、少なくとも１つのブラダが膨張している間に流体圧力を示す信号を受信するための命令を含む。
【００４３】
特定の実施形態において、流体圧力を示す信号を受信するための命令は、少なくとも１つのブラダが実質的に一定の圧力で膨張している間に流体圧力を示す信号を受信するための命令を含む。
【００４４】
いくつかの実施形態において、実質的に一定の圧力は、判定の期間にわたって１０パーセント未満だけ変化する。
【００４５】
特定の実施形態において、流体圧力を示す信号を受信するための命令は、約５秒よりも長く約６０秒よりも短い期間にわたって流体圧力を示す信号を受信するための命令を含む。
【００４６】
いくつかの実施形態において、流体圧力を示す信号を受信するための命令は、所定の間隔で流体圧力を示す信号を受信するための命令を含む。
【００４７】
特定の実施形態において、流体圧力を示す信号を受信するための命令は、少なくとも１つのブラダの治療的圧迫サイクル間に信号を受信するための命令を含む。
【００４８】
いくつかの実施形態において、流体圧力を示す信号を受信するための命令は、少なくとも部分的にユーザー入力に基づいて信号を受信するための命令を含む。
【００４９】
特定の実施形態において、非一時的なコンピュータ可読記憶媒体は、１つ以上のプロセッサに圧迫ガーメントの少なくとも１つのブラダが圧力センサと連通しているか否かを検出させるためのコンピュータ実行可能命令をさらに含み、流体圧力を示す信号を受信するための命令は、少なくとも１つのブラダと圧力センサとの間の連通の検出に少なくとも部分的に基づいて信号を受信するための命令を含む。
【００５０】
いくつかの実施形態において、圧迫ガーメントと圧力センサとの間で検出される連通は、流体連通である。
【００５１】
特定の実施形態において、流体圧力を示す信号を受信するための命令は、少なくとも１つのブラダが非治療圧力まで膨張している間に流体圧力を示す信号を受信するための命令を含む。
【００５２】
いくつかの実施形態において、非治療圧力は約１６０ｍｍＨｇ以上である。
【００５３】
特定の実施形態において、流体圧力を示す信号を受信するための命令は、第１のブラダ内の流体圧力を示す第１の信号を受信し、第２のブラダ内の流体圧力を示す第２の信号を受信するための命令を含み、受信した信号が振動振幅を含むか否かを判定するための命令は、第１の信号及び第２の信号がそれぞれ振動振幅を含むか否かを判定するための命令を含む。
【００５４】
いくつかの実施形態において、受信した信号が振動振幅を含むか否かを判定するための命令は、約０．５Ｈｚから約２５Ｈｚの周波数を抽出するために受信した信号を帯域通過フィルタ（例えば、帯域通過フィルタ５０６）処理するための命令を含む。
【００５５】
特定の実施形態において、受信した信号が振動振幅を含むか否かを判定するための命令は、帯域通過フィルタ処理された信号を平滑化する（例えば、追加のフィルタ処理５０８）ための命令をさらに含む。
【００５６】
いくつかの実施形態において、受信した信号が振動振幅を含むか否かを判定するための命令は、帯域通過フィルタ処理された信号を約５Ｈｚ以下の周波数で低域通過フィルタ処理する（例えば、追加のフィルタ処理５０８）ための命令をさらに含む。
【００５７】
特定の実施形態において、受信した信号が振動振幅を含むか否かを判定するための命令は、信号のピークを検出する（例えば、ピーク検出５１０）ための命令を含む。
【００５８】
いくつかの実施形態において、信号のピークを検出するための命令は、約０．５Ｈｚから約４Ｈｚの周波数範囲でピークを検出するための命令を含む。
【００５９】
特定の実施形態において、信号のピークを検出するための命令は、約０．０５ｍｍＨｇを超える流体圧力の変動に対応するピークを検出するための命令を含む。
【００６０】
いくつかの実施形態において、受信した信号が振動振幅を含むか否かを判定するための命令は、約０．５Ｈｚから約４Ｈｚの周波数範囲内で繰り返し信号を検出するための命令を含む。
【００６１】
特定の実施形態において、受信した信号の時間の関数としての振動振幅は、ガーメントの着用者の脈拍を表す。
【００６２】
いくつかの実施形態において、非一時的なコンピュータ可読記憶媒体は、推定された血圧を着用者の動脈血圧と相関させるためのコンピュータ実行可能命令をさらに含む。
【００６３】
別の態様において、システム（例えば、圧迫システム１）は、少なくとも１つの膨張及び収縮可能なブラダ（例えば、ブラダ１３ａ、１３ｂ、１３ｃ）を含む圧迫ガーメント（例えば、圧迫ガーメント１０）を含み、圧迫ガーメントは着用者の１つ以上の手足の周りに固定可能である。システムは、ガーメントの着用者に圧迫療法治療を提供するためにガーメントの少なくとも１つのブラダの膨張及び収縮を制御するためのコントローラ（例えば、コントローラ５）をさらに含む。コントローラ５は、１つ以上のプロセッサ（例えば、プロセッサ７）と、１つ以上のプロセッサに、圧力センサ（例えば、圧力センサ２７）から、ガーメントの少なくとも１つのブラダ内の流体圧力を示す信号を受信させ、受信した信号が時間（例えば、タイマー３１によって提供されるタイミング信号及び／又はタイミングデータ）の関数として振動振幅を含むか否かを判定させるための命令を含むメモリ（例えば、非一時的なコンピュータ可読記憶媒体３３）とを含む。非一時的なコンピュータ可読記憶媒体はまた、受信した信号が時間の関数として振動振幅を含むか否かの判定に少なくとも部分的に基づいて、１つ以上のプロセッサにガーメントの着用者の血圧を推定させるためのコンピュータ実行可能命令を含む。例えば、これは、下にある動脈血管をつぶすのに十分な圧力までブラダを膨張させる振動測定法を含むことができる。一実施形態において、つぶれ圧は収縮期圧と呼ばれ、最大脈動振幅をもたらす圧力は平均動脈圧と呼ばれる。代替技術は、脈波速度理論を活用して、より連続的な血圧測定を提供することができる。例えば、振動波形はまずブラダの１つで測定され、第２のブラダを使用して、同じ圧力波形が動脈樹に沿って第２のブラダまで移動するのにかかる時間を測定する。所要時間が短いほど、根本的な圧力は高くなる。さらに別の実施形態において、第１のブラダの膨張プロファイルを使用して、第２のブラダにおける測定信号を生成することができる。その結果、既知の生成された信号を使用して、患者の動きに関連するノイズをキャンセルし、根本的な血圧波形の忠実度を向上させることができる。
【００６４】
特定の実施形態において、システムは、ポンプ（例えば、加圧流体源２１）と、ポンプ及び少なくとも１つの膨張及び収縮可能なブラダと流体連通する少なくとも１つの弁（例えば、弁２５ａ、２５ｂ、２５ｃ）とをさらに含む。少なくとも１つの弁は、コントローラと電気的に連通し、コントローラの非一時的なコンピュータ可読記憶媒体はまた、１つ以上のプロセッサに少なくとも１つの弁を作動させてポンプと少なくとも１つの膨張及び収縮可能なブラダとの間の流体連通を制御させるためのコンピュータ実行可能命令を含む。
【００６５】
いくつかの実施形態において、システムはまた、少なくとも１つの膨張及び収縮可能なブラダと流体連通するポンプを含む。ポンプはコントローラと電気的に連通し、コントローラの非一時的なコンピュータ可読記憶媒体はまた、１つ以上のプロセッサにポンプの速度を調節させるためのコンピュータ実行可能命令を含む。
【００６６】
特定の実施形態において、少なくとも１つの膨張及び収縮可能なブラダは、着用者の手足の周りに固定されると、着用者の手足の一部（例えば、周囲まで及び周囲を含む）の周りに少なくとも部分的に延びる。
【００６７】
別の態様において、着用者に圧迫療法治療を提供するためにガーメント（例えば、圧迫ガーメント１０）の少なくとも１つのブラダ（例えば、ブラダ１３ａ、１３ｂ、１３ｃ）の膨張及び収縮を制御するためのコントローラ（例えば、コントローラ５）が、１つ以上のプロセッサ（例えば、プロセッサ７）と、非一時的なコンピュータ可読記憶媒体（例えば、非一時的なコンピュータ可読記憶媒体３３）とを含む。非一時的なコンピュータ可読記憶媒体は、１つ以上のプロセッサに、圧力センサ（例えば、圧力センサ２７）から、ガーメントの少なくとも１つのブラダ内の流体圧力を示す信号を受信させ、受信した信号が着用者の脈拍の表示を含むか否かを判定させるためのコンピュータ実行可能命令を含む。非一時的なコンピュータ可読記憶媒体はまた、受信した信号が着用者の脈拍を示す信号を含むか否かの判定に少なくとも部分的に基づいて、１つ以上のプロセッサにガーメントの着用者の血圧を特定させるためのコンピュータ実行可能命令を含む。
【００６８】
いくつかの実施形態において、流体圧力を示す信号を受信するための命令は、少なくとも１つのブラダが膨張している間に流体圧力を示す信号を受信するための命令を含む。
【００６９】
特定の実施形態において、流体圧力を示す信号を受信するための命令は、少なくとも１つのブラダが実質的に一定の圧力で膨張している間に流体圧力を示す信号を受信するための命令を含む。
【００７０】
いくつかの実施形態において、受信した信号が着用者の脈拍の表示を含むか否かを判定するための命令は、約０．５Ｈｚから約４Ｈｚの周波数範囲内で繰り返し信号を検出するための命令を含む。
【００７１】
特定の実施形態において、コンピュータ実行可能命令は、特定された血圧を着用者の動脈血圧と相関させるための命令を含む。
【００７２】
別の態様において、システム（例えば、圧迫システム１）は、少なくとも１つの膨張及び収縮可能なブラダ（例えば、ブラダ１３ａ、１３ｂ、１３ｃ）を含む圧迫ガーメント（例えば、圧迫ガーメント１０）を含み、圧迫ガーメントは着用者の手足の周りに固定可能である。システムは、ガーメントの着用者に圧迫療法治療を提供するためにガーメントの少なくとも１つのブラダの膨張及び収縮を制御するためのコントローラ（例えば、コントローラ５）をさらに含む。コントローラは、１つ以上のプロセッサ（例えば、プロセッサ７）と、１つ以上のプロセッサに、圧力センサ（例えば、圧力センサ２７）から、ガーメントの少なくとも１つのブラダ内の流体圧力を示す信号を受信させ、受信した信号が着用者の脈拍の表示を含むか否かを判定させるための命令を含む非一時的なコンピュータ可読記憶媒体（例えば、非一時的なコンピュータ可読記憶媒体３３）とを含む。非一時的なコンピュータ可読記憶媒体はまた、受信した信号が着用者の脈拍を示す信号を含むか否かの判定に少なくとも部分的に基づいて、１つ以上のプロセッサにガーメントの着用者の血圧を特定させるためのコンピュータ実行可能命令を含む。
【００７３】
いくつかの実施形態において、システムはまた、ポンプ（例えば、加圧流体源２１）と、少なくとも１つの弁（例えば、弁２５ａ、２５ｂ、２５ｃ）とを含む。少なくとも１つの弁は、ポンプ及び少なくとも１つの膨張及び収縮可能なブラダと流体連通している。少なくとも１つの弁はまた、コントローラと電気的に連通している。コントローラの非一時的なコンピュータ可読記憶媒体はまた、１つ以上のプロセッサに少なくとも１つの弁を作動させてポンプと少なくとも１つの膨張及び収縮可能なブラダとの間の流体連通を制御させるためのコンピュータ実行可能命令を含む。
【００７４】
特定の実施形態において、システムはまた、少なくとも１つの膨張及び収縮可能なブラダと流体連通するポンプを含む。ポンプはコントローラと電気的に連通している。コントローラの非一時的なコンピュータ可読記憶媒体はまた、１つ以上のプロセッサにポンプの速度を調節させるためのコンピュータ実行可能命令を含む。
【００７５】
実施形態は、以下の利点のうちの１つ以上を含むことができる。
【００７６】
いくつかの実施形態において、着用者の血圧の特定は、静的期間中の圧迫ガーメントの膨張可能ブラダ内の圧力を示す信号を用いて行われ、着用者の血圧のリアルタイムの自動表示を提供する。介護者が行う複数の医療デバイスの監視と比較して、本明細書に記載の着用者の血圧のリアルタイムの自動表示は、より正確な血圧測定、治療プロトコルへの患者のコンプライアンスのより正確な表示を提供することができ、かつ／又は、患者のバイタルパラメータの監視に関して介護者の負担を軽減することができる。治療を受けている着用者のバイタルパラメータを監視するのに比べて、本明細書に記載の着用者の血圧の表示は、最小限の機器及び改善された快適さで着用者のバイタルパラメータの監視を提供することができる。
【００７７】
特定の実施形態について説明したが、追加又は代替として他の実施形態も可能である。
【００７８】
圧迫システムは、大腿部までの長さの圧迫スリーブと共に使用されるものとして説明されているが、当然のことながら、圧迫システムは、追加又は代替として他のタイプの圧迫ガーメントと共に使用されることができる。例えば、圧迫システムは、大腿部までの長さの圧迫スリーブ及び／又は着用者の身体の異なる領域に配置されるように構成された異なる数のブラダを有するスリーブと共に使用されることができる。
【００７９】
実施形態は、デジタル電子回路、又はコンピュータハードウェア、ファームウェア、ソフトウェア、又はそれらの組み合わせに実装されることができる。圧迫システムのコントローラは、プログラム可能なプロセッサによる実行のために、機械可読記憶装置内に有形に実施され又は格納されるコンピュータプログラム製品に実装されることができ、方法の動作は、命令のプログラムを実行するプログラム可能なプロセッサが、入力データで動作して出力を生成することにより、圧迫システムのコントローラの機能を実行することで行われることができる。圧迫システムのコントローラは、データストレージシステム及び少なくとも１つの入力デバイスからデータ及び命令を受信し、データストレージシステム及び少なくとも１つの出力デバイスにデータ及び命令を送信するように連結された少なくとも１つのプログラム可能なプロセッサを含むプログラム可能なシステムで実行可能な１つ以上のコンピュータプログラムに実装されることができる。各コンピュータプログラムは、高レベルの手続き型プログラミング言語もしくはオブジェクト指向プログラミング言語で、又は必要に応じてアセンブリ言語又は機械言語で実装されることができる。いずれにせよ、言語はコンパイルされた言語又はインタープリター言語であり得る。
【００８０】
適切なプロセッサは、例として、専用マイクロプロセッサを含む。一般に、プロセッサは読み取り専用メモリやランダムアクセスメモリから命令及びデータを受け取る。一般に、コンピュータはデータファイルを保存するための１つ以上の大容量ストレージデバイスを含む。このようなデバイスは、内蔵ハードディスク及びリムーバブルディスクなどの磁気ディスク、光磁気ディスク、及び光ディスクを含む。コンピュータプログラムの命令及びデータを有形に実施するのに適したストレージデバイスは、例として、ＥＰＲＯＭ、ＥＥＰＲＯＭ、及びフラッシュメモリデバイスなどの半導体メモリデバイスなど、すべての形式の不揮発性メモリ、内蔵ハードディスク及びリムーバブルディスクなどの磁気ディスク、光磁気ディスク、及びＣＤ−ＲＯＭディスクを含む。前述のいずれも、ＡＳＩＣ（特定用途向け集積回路）又はＦＰＧＡ（フィールドプログラマブルロジックアレイ）によって補完され又はそれらに組み込まれることができる。
【００８１】
多くの実施形態が説明された。それでもなお、本開示の主旨及び範囲から逸脱することなく、様々な修正を行い得ることが理解されるであろう。例えば、単一の圧力センサを備えたコントローラについて説明したが、本開示の範囲から逸脱することなく、追加の圧力センサ（例えば、各膨張可能ブラダに１つ）を使用することができる。したがって、他の実施形態は、添付の特許請求の範囲内にある。
【図１】
2020526265.tif 000003
【図２】
2020526265.tif 000004
【図３】
2020526265.tif 000005
【図４Ａ】
2020526265.tif 000006
【図４Ｂ】
2020526265.tif 000007
【図４Ｃ】
2020526265.tif 000008
【図４Ｄ】
2020526265.tif 000009
【図５】
2020526265.tif 000010
【国際調査報告】
2020526265.tif 000011
2020526265.tif 000012
2020526265.tif 000013